(57)【要約】      （修正有）【課題】人が歩きながら、特に振り返ることなく、身につけた特殊器具により、必要時に背後の情景を把握する。【解決手段】小反射鏡２を先端に持った適度な長さの金属柄３を、常用の眼鏡枠１の適宜の部分に、クリップ４により連結されたものである。また、超小型のテレビカメラを、背面の適宜な部分に、レンズを後方に向けて装着し、此に電線で繋がれた小型映像装置に映し出される背後の映像を、要時、眼前にかざして観察できるものとした。【選択図】図Ａ１
0003121602.tif 000002
【実用新案登録請求の範囲】
【請求項１】
人が歩行時に背後の情景を把握するために、小反射鏡を、恰も自動車のフェンダーミラ−の様に、左右何れかの目の前側方に突出した位置で、固定出来るように考案された後方視装置（明細書には、Ａ群と仮称）
【請求項２】
人が歩行時に背後の情景を把握するために、携帯電話に用いられているような小型のデジタルテレビカメラを、後頭部又は背面の適宜の場所に後方に向けて装着する様工夫し、電線で連結された小型映像装置の映像を、眼前の好都合な位置で見られるように考案された後方視装置（明細書には、Ｂ群と仮称）
【考案の詳細な説明】
【技術分野】
【０００１】  本考案は、人が歩行時に身につけていて、歩きながら背後の情景を把握出来る装置に関するものである。
【背景技術】
【０００２】  自動車には、サイドミラーやフェンダーミラーの様な後方視のための装置が備え付けられているが、人には、操作性や外見上などに問題が多いためか、この様な身につける後方視装置が作られて利用されては、いないようである。
【考案の開示】
【考案が解決しようとする課題】
【０００３】  人が道を歩いているとき、背後から来る種々の乗り物や、様々な人物に対して、身の危険を感じ、振り返りたく思うことがよくあるものである。然し、立ち止まって振り返る動作が、事実上殆ど出来ず、不安を抱くことが多いと思われる。若しこの際、本考案の装置で、背後の情景を見ていたならば、歩行がし易く、後方から近づく不慮の傷害からも身を守ることが出来る。
【課題を解決するための手段】
【０００４】  課題を解決するために本考案を具現するには、二種類の利用器具が考えられる。一つは、（Ａ群）と仮称するもので、単に普通の小型の反射鏡を用いたものであり、他は、（Ｂ群）と仮称するもので、携帯電話に用いられている様な小型軽量のデジタルテレビカメラと其れに電線で連結された小型軽量の映像装置の組み合わせを利用したものである。    先ず、Ａ群では、此の反射鏡を装着する為に、常用の眼鏡枠を利用するか、特製の額帯を用いるかのいずれかになる。眼鏡枠に装着する場合には、適当な長さと形の金属柄の先に、例えば４センチ角の鏡面が接着されており、其れが他の先端に付けた小型のクリップによって、眼鏡の中央の繋ぎの金属に固定されるか、若しくは、眼鏡枠がしっかりしている場合には、一方のレンズの外上方の角に固定されるものである。反射鏡の位置は、恰も自動車のフェンダーミラーの様に、顔の片側に突出しており、其の側の眼鏡レンズを透して、反射鏡面に映る背後の情景を、旨く見られるように調整されるものとする。猶、その為には、連結柄の可撓性を利用するか、方向を変えられるジョイントを両端近くに介在させておく必要がある。額帯を用いる場合には、特製軽量の額帯の左右いずれかの側の前側方に、同様に反射鏡の柄を連結すれば、安定した後方視装置が得られることになる。光学電気器具を用いるＢ群の場合には、Ａ群での反射鏡に代わる小型映像装置が重いので、先ず、特製額帯を用いることを優先的に考えたのであるが、何れにしても、此に背後の映像を送る小型軽量のテレビカメラは、額帯の後面、または、婦人帽を取り巻くリボンの後部に、もしくわ、背嚢の背負い帯を利用した後面等の適宜の位置に、後方正面にレンズを向けて装着されることになる。カメラに映った其のデジタル情報は、細電線束を通じて顔の前方に置かれた約４ｃｍ四方の映像装置に、左右反転した映像として映し出されるようにデザインされる必要がある。また、映像を見るためには、目との距離を明視出来る最短距離以上に離す必要がある。映像装置の高さは、下顎若しくは額より稍上の高さで、軽量の取り付け器具によって手際よく額帯に連結される事になる。又、無理をすればＡ群の場合と同様に、此を小型クリップによって眼鏡枠の中央連結部に固定して用いることも可能である。この際、デジタルカメラから出る電線束の一本は、映像装置へ他の一本は、スイッチ、調節ボタン、電池などを収納する所謂コンソールに連結されて、ポケットに収納されて置くことになる。何れにしても然し、Ｂ群は、Ａ群に較べて、映像装置が重く、明視の必要上、柄の長さも長いと云う不便な条件がある上に、連結線もあるので、大袈裟になり、問題点が多い様であるが、唯、Ａ群と異なり、後方視の視野が広く見やすいという長所があり、工夫次第では、採用の価値があるとも考えられる。
一方発想を変えて、重い映像装置を顔前など、目障りな場所に装着したままにせずに、不断は、此を取り出しやすいポケットに入れて置き、後方を見る必要の生じたときにのみ、便宜的に取り出して、歩きながら見ることにするならば、カメラと映像装置とは、単に一本の電線束で繋がるだけで済み、意外に便利な用い方となる。
【考案の効果】
【０００５】  上述のように、本後方視装置には、Ａ群、Ｂ群共に、一長一短があり、前節に述べた最後の例以外では、注視の器具が共に十数センチ顔前に突出している為の大儀さは、克服されなければならない。何れにしても、若し、これらの後方視装置の何れかが実用されるならば、歩きながら背後の情況を何時でも把握出来る事になる。従って、後方からの不慮の交通災害や犯罪行為を未然に防ぐ上に大いに役立つであろう。其れは、装着者に対して歩行時の安心感を大いに増加することにもなる。
【考案の実施するための最良の形態】
【０００６】反射鏡を用いたＡ群の場合、眼鏡枠を使う事が出来るならば、装置が簡易で装着も簡単であるから、余り費用も掛からず、極めて利用しやすいのであるが、自動車のフェンダーミラーのように、後方視の為に鏡面をどれぐらい前方や側方へ突出させるかという、調節が必要であり、鏡面の向かう角度の調節も必要である。その為には、前述のように、連結柄の可撓性を利用するか、両端近くに自在に動かすことの出来るジョイントを介入させておく必要がある。又、視野を広げるためには、軽度の凸面鏡の使用も考えられる。猶、鏡面の形状は、矩形でなくてもよいが、４−５ｃｍ四方で良く、前に出すほど後方視時に視軸の側方移動が少なく済んで見やすくなるのであるが、腕を長くするだけ視野が狭くなり、鏡面が揺れやすく見づらくもなるので、実用的に考えると、鏡面の位置は、眼鏡の位置から前方１０センチ台に止めるのが良いようである。唯、本器具は、髪型が横に張り出している人には、適用出来ない。又、眼鏡を掛けていない人、特に年少者や婦人などの場合の後方視鏡の装着には、特製の額帯を用いることになるが、此を装着できれば、眼鏡枠利用に較べて器具の固定に無理がなく簡単で、後方視も安定する事が考えられる。いずれにしても、後方視には、短時間に視線だけを動かして鏡面を見なければならないので、或程度の習熟が必要であろう。    次に、光学電気器具を用いるＢ群では、その為の費用が嵩むけれども、後方全体が見渡せて大変好都合と思われる。又、映像装置の小パネルは、眼前ならば何処に置かれてもよいので、前面の正中線上に置かれるのが好都合であるが、使用者が明視の出来る最短距離よりも以遠に置かれる必要がある。そこで、遠近両用の眼鏡を掛けている人に対しては、例えば下顎部位の前方辺りに位置を決めるのがよいであろうし、一般人には、前額上部の前方が好都合と思われる。其処で、眼鏡を常用している人に対しては、Ａ群の様に、映像装置の柄を、両眼レンズの連結部分にクリップで固定すると、装着が出来上がる訳であるが、前述の如く顔面からの距離を少なくするためには、工夫を要するところであり、その場合、映像パネルの前にフレンネルレンズを用いるのも一法であろう。然し，映像パネルは、反射鏡に較べて目方が重く、連結する電線束の不便さも避けられないので、幾ら軽量化に配慮をしても矢張り眼鏡への荷重の大きさは、避けられないであろう。  所が、Ｂ群で初めから額帯使用に踏み切るならば、後方視カメラや映像パネルなどは、其れにしっかりと装着出来るので、非常に安定した装置となり、画像記録装置を付けられる便利さもある。然し、単なる反射鏡と異なり矢張り装置に費用が嵩み、映像装置が常に顔前にある為の、日常行動での不便さは、総括的にＡ群より大いとも思われる。然も、人によっては、後方視の必要性を優先し、デザインを考えることによって此の装着を選ぶ人もあるであろう。
繰り返しにはなるが、最後に、発想を変えて見る必要がある。光学電気器具の使用法の長所を考えると、テレビカメラや映像パネルの設置場所は、選択肢が広いので、カメラは、後方を向いてさえいれば、色々な場所を選ぶことが出来るし、映像装置も、反射鏡よりも重く嵩張りもするが、敢えて眼前に固定しないで何処にでも置けるので、不断は取り出しやすい所に入れて置いて必要時にだけ取り出して見ることも出来る。こうすれば、大変好都合になる。この場合には、携帯電話の映像装置との共用も考えられ、又、別のカメラを任意の方向へ向けて設置しておいて切り替えて見ることも可能になる。
【実施例】
【０００７】添付図面に於いて、Ａ群、Ｂ群  の方式に分けて各実施例を説明する。図面は、概観把握の便のため、すべて斜視図を用いて示し、各例図に於ける構成部分に一連番号を付けて説明した。
先ず，Ａ１，Ａ２，Ａ３図において
１は、眼鏡枠を持った常用の眼鏡
２は、後方視の為の反射鏡（裏面を示す）
３は、反射鏡の連結柄
４は、連結柄を眼鏡枠に装着するために利用したメダマクリップ
５は、反射鏡の方向、位置を設定するための自在ジョイント
６は、反射鏡装着専用の額帯
次に，Ｂ１，Ｂ２図において
７は、後方の情景を映し出す映像パネル（裏面を示す）
８は、映像パネルの連結柄
９は、自在ジョイント
１０は、連結柄装着用メダマクリップ
１１は、後方視デジタルテレビカメラ
１２は、テレビカメラや映像装置を装着する額帯
１３は、後方視装置を繋ぐ電線束
１４は、電池、スイッチ等収納のコンソール
１５は、コンソールを共用する小型映像装置
１６は、例えば、映像装置１５を収納するバッグ
【図Ａ１】
0003121602.tif 000003
【図Ａ２】
0003121602.tif 000004
【図Ａ３】
0003121602.tif 000005
【図Ｂ１】
0003121602.tif 000006
【図Ｂ２】
0003121602.tif 000007
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
一方の先端に反射鏡が設けられ、かつ他方の先端にはクリップを取り付けた連結柄を、該クリップによって眼鏡枠に着脱可能とした後方視装置であって、
上記反射鏡は、左右何れかの目の前側方に突出した位置で固定されていることを特徴とした後方視装置。
【請求項２】
一方の先端に反射鏡が設けられ、かつ他方の先端にはクリップを取り付けた連結柄を、該クリップによって、額に取り付ける額帯に着脱可能とした後方視装置であって、
上記反射鏡は、左右何れかの目の前側方に突出した位置で固定されていることを特徴とした後方視装置。
【手続補正２】
【補正対象書類名】明細書
【補正対象項目名】全文
【補正方法】変更
【補正の内容】
【考案の詳細な説明】
【技術分野】
【０００１】
本考案は、人が歩行時に身につけるものであり、歩きながら背後の情景を把握出来る装置に関するものである。
【背景技術】
【０００２】
自動車には、サイドミラーやフェンダーミラーの様な後方視のための装置が備え付けられているが、人には、操作性や外見上などの問題が多いためか、この様な身につける後方視装置が作られ、利用されてはいないようである。
【考案の開示】
【考案が解決しようとする課題】
【０００３】
しかしながら、人が道を歩いているとき、背後から来る種々の乗り物や、様々な人に対して、身の危険を感じ、振り返りたく思うことがよくあるものであるが、立ち止まって振り返る動作が、事実上殆ど出来ず、不安を抱くことが多いと思われる。このような場合に、背後の情景を見ていたならば、歩行がし易く、後方から近づく不慮の傷害からも身を守ることが出来る。
【０００４】
本考案は、上記実情に鑑みなされたものであり、歩行中に振り返ることなく、背後の情景を視認することができる後方視装置を提供することを目的としている。
【課題を解決するための手段】
【０００５】
請求項１の考案に係る後方視装置は、一方の先端に反射鏡が設けられ、かつ他方の先端にはクリップを取り付けた連結柄を、該クリップによって眼鏡枠に着脱可能としたものであって、上記反射鏡は、左右何れかの目の前側方に突出した位置で固定されていることを特徴としている。
【０００６】
請求項２の考案に係る後方視装置は、一方の先端に反射鏡が設けられ、かつ他方の先端にはクリップを取り付けた連結柄を、該クリップによって、額に取り付ける額帯に着脱可能としたものであって、上記反射鏡は、左右何れかの目の前側方に突出した位置で固定されていることを特徴としている。
【考案の効果】
【０００７】
請求項１及び請求項２に係る本考案の後方視装置によれば、いずれも歩きながら、振り返ることなく、背後の情景を何時でも把握出来る事になる。従って、後方からの不慮の交通災害や犯罪行為を未然に防ぐ上に大いに役立つであろう。其れは、装着者に対して歩行時の安心感を大いに増加することにもなる。
【考案を実施するための最良の形態】
【０００８】
以下に本考案の最良の実施の形態について、図面に基づいて説明する。図１は本考案の請求項１に係る後方視装置の例を示す図、図２は請求項１に係る後方視装置の別の一例を示す図、図３は本考案の請求項２に係る後方視装置の例を示す図である。
【０００９】
本考案を具現するには、以下の利用器具が考えられる。
本考案では、普通の小型の反射鏡２を用い、この反射鏡２を装着する為に、常用の眼鏡枠１を利用する態様と、特製の額帯６を用いる態様とを含んでいる。
請求項１の態様は眼鏡枠１を用いている。この場合には、適当な長さと形の金属柄の先に、例えば４センチ角の鏡面が接着されており、其れが他の先端に付けた小型のクリップ４によって、図１に示すように眼鏡の中央の繋ぎの金属に固定されるか、若しくは、眼鏡枠１がしっかりしている場合には、図２に示すように一方のレンズの外上方の角に固定されるものである。反射鏡２の位置は恰も自動車のフェンダーミラーの様に、顔の片側に突出しており、其の側の眼鏡レンズを透して、反射鏡２面に映る背後の情景を、旨く見られるように調整されるものとする。猶、その為には、連結柄３の可撓性を利用するか、方向を変えられるジョイントを両端近くに介在させておく必要がある。
【００１０】
この請求項１では、装置が簡易で装着も簡単であるから、余り費用が掛からず、極めて利用しやすいのであるが、自動車のフェンダーミラーのように、後方視の為に鏡面をどれぐらい前方や側方へ突出させるかという、調節が必要であり、鏡面に向かう角度の調節も必要である。その為には、前述のように、連結柄３の可撓性を利用するか、両端近くに自在に動かすことの出来るジョイント５を介入させておく必要がある。又視野を広げるためには、軽度の凸面鏡の使用も考えられる。猶、鏡面の形状は、矩形でなくてもよいが、４−５ｃｍ四方で良く、前に出すほど、後方視時に視軸の側方移動が少なく済んで見やすくなるのであるが、腕を長くするだけ視野が狭くなり、鏡面が揺れやすく見づらくなるので、実用的に考えると、鏡面の位置は、眼鏡の位置から前方１０センチ台に止めるのが良いようである。
【００１１】
唯、本器具は、髪型が横に張り出している人には、適用出来ない。又、眼鏡を掛けていない人、特に年少者や婦人等の場合の後方視鏡の装着には、特製の額帯６を用いることになるが、此を装着できれば、眼鏡枠１利用に較べて器具の固定に無理がなく、簡単で、後方視も安定する事が考えられる。
【００１２】
請求項２では、額帯６を用いる。この場合には、特製軽量の額帯６の左右いずれかの側の前側方に、同様に反射鏡２の柄３を連結すれば、安定した後方視装置が得られることになる。
いずれにしても、後方視には、短時間に視線だけを動かして鏡面を見なければならないので、或程度の習熟が必要であろう。
【図面の簡単な説明】
【００１３】
【図１】本考案の後方視装置の例（請求項１）を示す図である。
【図２】本考案の後方視装置の別の例（請求項１）を示す図である。
【図３】本考案の後方視装置の例（請求項２）を示す図である。
【符号の説明】
【００１４】
１    眼鏡枠
２    反射鏡
３    （連結）柄
４    クリップ
５    ジョイント
６    額帯
【手続補正３】
【補正対象書類名】図面
【補正対象項目名】全図
【補正方法】変更
【補正の内容】
【図１】
0003121602.tif 000008
【図２】
0003121602.tif 000009
【図３】
0003121602.tif 000010
【手続補正書】
【提出日】平成17年12月28日(2005.12.28)
【手続補正１】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003121602.tif 000011
【図２】
0003121602.tif 000012
【図３】
0003121602.tif 000013